(57)【要約】【課題】    床に対して滑りにくいにも関わらず、床から容易に剥がすことが可能な滑り止め付きの敷物を提供するものである。【解決手段】  敷物１０を、基布１１と、基布１１の下面における全周縁に沿った箇所に予め取り付けられて基布１１が床に対して滑らないようにするための滑り止め用粘着シート１２とを備えたものとするとともに、滑り止め用粘着シート１２における床と接触する粘着面αの滑り耐力を１Ｎ以上とし、かつ、粘着面の剥離耐力を３０Ｎ以下とした。【選択図】図２
2015226670.tif 000002
【特許請求の範囲】
【請求項１】
床に敷くための敷物であって、
基布と、基布の下面における全周縁に沿った箇所に予め取り付けられて基布が床に対して滑らないようにするための滑り止め用粘着シートとを備え、
滑り止め用粘着シートにおける床と接触する粘着面の滑り耐力が１Ｎ以上とされて、当該粘着面の剥離耐力が３０Ｎ以下とされたことを特徴とする敷物。
【請求項２】
滑り止め用粘着シートが、その下面が前記粘着面となる粘着層と、粘着層の上側に配されたクッション層とで構成された請求項１記載の敷物。
【請求項３】
クッション層が、厚さ１〜１５ｍｍの発泡樹脂シートからなる請求項２記載の敷物。
【請求項４】
滑り止め用粘着シートが、その外縁側の外側縫着線とその内縁側の内側縫着線とに沿って、基布に対して縫着された請求項１〜３いずれか記載の敷物。
【請求項５】
基布が、その上面に縁取り部を有するものとされ、
当該縁取り部の外縁及び内縁が、それぞれ前記外側縫着線及び前記内側縫着線と重なるようにした請求項４記載の敷物。
【請求項６】
滑り止め用粘着シートとして、ポリウレタン系粘着シートを用いた請求項１〜５いずれか記載の敷物。
【発明の詳細な説明】
【技術分野】
【０００１】
本発明は、床に敷くための敷物に関する。
【背景技術】
【０００２】
敷物は、それを敷く場所や時期（季節）などに応じた様々な種類のものがある。しかし、これらの敷物を、フローリング仕上げの床など、滑らかな床に敷いた場合には、敷物が床に対して滑ってしまい、敷物の上を歩く人が転倒しやすくなるという問題がある。このような実状に鑑みて、これまでには、その下面に滑り止めのための工夫を施した敷物が提案されている。
【０００３】
例えば、特許文献１には、その下面に摩擦の大きな不織布を貼り付けた敷物が提案されている。特許文献１の敷物は、その上に人が載るなどして荷重がかかると、床との摩擦抵抗が増大するものとなっており、滑り止めのための工夫が何ら施されていない敷物と比較して、一定の滑り止め効果が奏されるものとなっている。しかし、その滑り止め効果は限定的であり、例えば、体重の軽い子供がその上を走ったような場合には、敷物が床に対して滑る可能性がある。加えて、特許文献１の敷物では、ある程度の厚さを有する不織布を敷物の略全面に亘って設ける必要があるため、敷物が厚くなってその重量も大きくなるだけでなく、敷物が折り畳みにくくなるという欠点もある。
【０００４】
また、特許文献２には、敷物などの物品の下面に貼ることにより、当該物品の滑り止めを行うことができるようにした両面粘着シートが提案されている。しかし、粘着シートを使用して敷物を床に固定すると、敷物の滑り止めは良好に行うことができるものの、敷物を床から簡単には剥がしにくくなるだけでなく、床に粘着シートの破片や粘着剤が残ったり、床の塗装などが粘着剤によって剥がれたりするおそれもある。このため、特許文献２の両面粘着シートのように、粘着力の強い滑り止め用の粘着シートは、敷物の下面における限られた箇所（例えば、敷物の下面の四隅部）に設けることが一般的である。しかし、この場合には、敷物を折り畳まれた状態から広げて床に敷いた際に、それが折り畳まれていたときの折り皺によって敷物の中央部が浮き上がるなど、折り皺が目立った状態となりやすくなるという問題も生じる。
【先行技術文献】
【特許文献】
【０００５】
【特許文献１】特開平０８−０８５１８０号公報
【特許文献２】特開平１１−１７２２０７号公報
【発明の概要】
【発明が解決しようとする課題】
【０００６】
本発明は、上記課題を解決するためになされたものであり、床に対して滑りにくいにも関わらず、床から容易に剥がすことが可能な滑り止め付きの敷物を提供するものである。また、折り畳まれた状態から広げて床に敷いた場合であっても、それが折り畳まれていたときの折り皺が目立ちにくい敷物を提供することも本発明の目的である。さらに、折り畳みやすい敷物を提供することも本発明の目的である。
【課題を解決するための手段】
【０００７】
上記課題は、
床に敷くための敷物であって、
基布と、基布の下面における全周縁に沿った箇所に予め取り付けられて基布が床に対して滑らないようにするための滑り止め用粘着シートとを備え、
滑り止め用粘着シートにおける床と接触する粘着面の滑り耐力が１Ｎ以上とされて、当該粘着面の剥離耐力が３０Ｎ以下とされたことを特徴とする敷物
を提供することによって解決される。
【０００８】
ここで、「基布の下面における全周縁に沿った箇所に予め取り付けられて基布が床に対して滑らないようにするための滑り止め用粘着シート」とは、図４（ａ）に示すように、滑り止め用粘着シート１２が、基布１１の全周縁に沿って連続的に設けられている場合に限定されず、図４（ｂ），（ｃ）に示すように、滑り止め用粘着シート１２が、基布１１の全周縁に沿って非連続的に設けられている場合をも含むものとする。すなわち、滑り止め用粘着シート１２が非連続的に設けられている場合であっても、それぞれの滑り止め用粘着シート１２の前記全周縁に沿った方向の長さの合計が、基布１１の全周縁の全長（１周の長さ）に対して５０％以上となっており、かつ、隣り合う滑り止め用粘着シート１２の間に形成される隙間の前記全周縁に沿った方向の幅が、いずれの隙間においても基布１１の全周縁の全長に対して１０％以下となっているのであれば、その滑り止め用粘着シートは、基布１１の全周縁に沿った箇所に取り付けられているものとする。ただし、滑り止め用粘着シートを非連続的に設ける場合においても、それぞれの滑り止め用粘着シートの基布の全周縁に沿った方向の長さの合計は、基布の全周縁の全長に対して、６０％以上、７０％以上、８０％以上又は９０％以上というように、できるだけ長くなるようにすると好ましい。そして、隣り合う滑り止め用粘着シートの間に形成される隙間の基布の全周縁に沿った方向の幅は、いずれの隙間においても基布の全周縁の全長に対して、７％以下、５％以下、３％以下又は１％以下というように、できるだけ短くなるようにすると好ましい。そしてまた、滑り止め用粘着シート１２の分割数は、１０枚以下、６枚以下、４枚以下というように、できるだけ少なくすると好ましい。
【０００９】
また、「滑り耐力」とは、図５に示すように、その下面に滑り止め用粘着シート１２が貼り付けられた木質ボード２０を水平（ｘｙ平面に平行）な床板３０の上面に載せて、滑り止め用粘着シート１２の粘着面αが床板３０の上面に接触した状態とし、木質ボード２０の上面に１ｋｇの荷重を鉛直下向き（ｚ軸方向負側）に３０秒間印加した後、木質ボード２０の前端面中心をワイヤ４０などで水平方向（ｙ軸方向負側）に１００ｍｍ／ｍｉｎの速度で引っ張り、木質ボード２０が床板３０に対して水平方向（ｙ軸方向負側）に滑り始めた瞬間（滑り止め用粘着シート１２の粘着面αが床板３０に対して滑り始めた瞬間）の引張力Ｆの大きさのことを云う。木質ボード２０は、縦（ｙ軸方向）の幅が１００ｍｍ、横（ｘ軸方向）の幅が１００ｍｍ、厚さ（ｚ軸方向の幅）が９ｍｍで、その全体重量が６０ｇのものを使用する。滑り止め用シート１２は、縦（ｙ軸方向）の幅が１００ｍｍ、横（ｘ軸方向）の幅が１００ｍｍとなるように寸法を調整し、木質ボード２０の周囲からはみ出ないように木質ボード２０の下面に貼り付ける。床板３０は、パナソニック電工株式会社製の「クラックレスフロアー」（型式：ＫＥＣ１２ＭＥ）を使用する。
【００１０】
さらに、「剥離耐力」とは、図６に示すように、その下面に滑り止め用粘着シート１２が貼り付けられた木質ボード２０を水平（ｘｙ平面に平行）な床板３０の上面に載せて、滑り止め用粘着シート１２の粘着面αが床板３０の上面に接触した状態とし、木質ボード２０の上面に１０ｋｇの荷重を鉛直下向き（ｚ軸方向負側）に３０秒間印加した後、木質ボード２０の前端面中心をワイヤ４０などで鉛直上向き（ｚ軸方向正側）に１００ｍｍ／ｍｉｎの速度で引っ張り、木質ボード２０の前端が床板３０に対して鉛直方向（ｚ軸方向正側）に動き始めた瞬間（滑り止め用粘着シート１２の前端側の粘着面αが床板３０から剥離し始めた瞬間）の引張力Ｆの大きさのことを云う。木質ボード２０、滑り止め用シート１２及び床板３０は、上述した「滑り耐力」の測定で使用したものと同じものを使用する。
【００１１】
本発明の敷物は、滑り耐力が１Ｎ以上の滑り止め用粘着シートが、基布の下面における全周縁に沿った箇所に取り付けられているため、敷物の上面におけるどの場所にどの方向から力が加わった場合であっても、床に対して滑りにくくなっている。また、本発明の敷物は、滑り止め用粘着シートの粘着面の剥離耐力が３０Ｎ以下となっているため、それを敷く箇所を変更したり、それを収納したりする際には、床から容易かつ綺麗に剥がすことができるようになっている。このため、本発明の敷物では、滑り止め用粘着シートを基布の下面における全周縁に沿った広い範囲に設けることができる。したがって、その全周縁が外側に引っ張られた状態で敷物を敷くことができ、敷物を折り畳まれた状態から広げて床に敷いた場合であっても、折り皺を目立たないようにすることもできる。加えて、基布の下面中央部には、滑り止め用粘着シートを設ける必要が特にないので、敷物の重量を抑えるだけでなく、敷物を折り畳む際に滑り止め用粘着シートが邪魔にならないようにすることも可能になる。滑り止め用粘着シートの素材は、特に限定されないが、その粘着面の滑り耐力及び剥離耐力が上述した範囲のものであれば特に限定されないが、ポリウレタン系粘着シートを用いると好適である。
【００１２】
本発明の敷物において、滑り止め用粘着シートは、上記の滑り耐力及び剥離耐力を発揮するものであれば、その構造は、特に限定されないが、その下面が前記粘着面となる粘着層と、粘着層の上側に配されたクッション層とで構成されたものであると好ましい。このように、粘着層の上側にクッション層を設けることで、滑り止め用粘着シートの粘着面が床面に均一に粘着しやすくなり、上記の滑り耐力をより高めることが可能になる。この構成は、基布が薄く柔らかい素材で形成されている場合や、敷物を敷く床に凹凸がある場合などに好適に採用することができる。
【００１３】
滑り止め用粘着シートにクッション層を設ける場合において、クッション層は、その素材を特に限定されるものではないが、発泡樹脂シートで形成すると好ましい。このとき、発泡樹脂シートを薄くしすぎると、上述した「滑り止め用粘着シートの粘着面が床面に均一に粘着しやすくなる」という効果が限定的になり、クッション層を設けた意義が低下する。特に、基布がその下面に凹凸の多い素材で形成されたものである場合（例えば、基布が藺草を織製して形成したものである場合）には、滑り止め用粘着シートの粘着面が床面に均一に粘着しにくくなると考えられる。このため、クッション層の厚さは、１ｍｍ以上とすると好ましい。クッション層の厚さは、５ｍｍ以上とすると好ましく、７ｍｍ以上とするとより好ましい。ただし、基布がその下面に凹凸の少ない素材で形成されたものである場合には、クッション層の厚さは、１ｍｍ未満（例えば、０．１ｍｍ程度）とすることも可能である。一方、クッション層を厚くしすぎると、敷物の周縁に沿った部分のみが厚くなり、敷物を敷いた際に見た目が悪くなるおそれがある。このため、クッション層の厚さは、１５ｍｍ以下とすると好ましい。
【００１４】
本発明の敷物において、基布に対する滑り止め用粘着シートの取付方法は、特に限定されず、縫着、接着又は溶着などの各種方法を採用することができるが、滑り止め用粘着シートを、その外縁側の外側縫着線とその内縁側の内側縫着線とに沿って、基布に対して縫着すると好ましい。これにより、滑り止め用粘着シートを基布に対して綺麗かつしっかりと固定することが可能になる。
【００１５】
基布に対して滑り止め用粘着シートを上記方法により縫着する場合には、基布を、その上面に縁取り部（基布とは別体の縁取り部材によるものだけでなく、基布の上面に縁取りの模様を施したことによるものをも含む。）を有するものとし、当該縁取り部の外縁及び内縁が、それぞれ前記外側縫着線及び前記内側縫着線と重なるようにすると好ましい。これにより、滑り止め用粘着シートの縫着部が目立たないようにすることが可能になる。また、基布の縁取りを基布とは別体の縁取り部材により行う場合には、基布に対する縁取り部材の縫着と、基布に対する滑り止め用粘着シートの縫着とを同時に行うことが可能になり、製造工数を減らして製造コストを抑えることも可能になる。
【発明の効果】
【００１６】
以上のように、本発明によって、床に対して滑りにくいにも関わらず、床から容易に剥がすことが可能な滑り止め付きの敷物を提供することが可能になる。また、折り畳まれた状態から広げて床に敷いた場合であっても、それが折り畳まれていたときの折り皺が目立ちにくい敷物を提供することも可能になる。さらに、折り畳みやすい敷物を提供することも可能になる。
【図面の簡単な説明】
【００１７】
【図１】本発明に係る敷物を上面側から見た状態を示した平面図である。
【図２】本発明に係る敷物を下面側から見た状態を示した底面図である。
【図３】本発明に係る敷物の周縁近傍を、図１におけるＡ−Ａ面で切断して拡大した状態を示した断面図である。
【図４】本発明に係る敷物において、滑り止め用粘着シートの配置例を示した底面図である。
【図５】滑り止め用粘着シートの粘着面の滑り耐力の測定方法を説明する説明図である。
【図６】滑り止め用粘着シートの粘着面の剥離耐力の測定方法を説明する説明図である。
【発明を実施するための形態】
【００１８】
［敷物の概要］
本発明の敷物の好適な実施態様について、図面を用いてより具体的に説明する。図１は、本発明に係る敷物１０を上面側から見た状態を示した平面図である。図２は、本発明に係る敷物１０を下面側から見た状態を示した底面図である。図３は、本発明に係る敷物１０の周縁近傍を、図１におけるＡ−Ａ面で切断して拡大した状態を示した断面図である。図４は、滑り止め用粘着シート１２の配置例を示した底面図である。
【００１９】
本実施態様の敷物は、図１〜３に示すように、基布１１と、滑り止め用粘着シート１２と、縁取り部材１３とを備えたものとなっている。この敷物１０は、その下面（滑り止め用粘着シート１２が設けられた側の面）が床に接触するように床に敷いた際に、滑り止め用粘着シート１２の粘着面αが床に粘着することで、その上を人が歩いたり走ったりした場合であっても、床に対して滑らないようになっている。
【００２０】
本実施態様の敷物１０は、図１，２に示すように、その基布１１が藺草を織製することにより形成された藺草ラグとなっているが、敷物１０の用途や種類は、これに限定されない。敷物１０の用途や種類としては、茣蓙や、薄畳や、絨毯や、ラグや、玄関マットや、キッチンマットや、お風呂マットや、洗面マットや、トイレマットや、泥除けマットなどが例示される。特に、フローリング仕上げの床や、大理石仕上げの床など、凹凸が少なく、従来の敷物では滑りやすい床に敷くものとして好適である。また、敷物１０は、床に敷くものに限定されず、テーブルクロスなど、床以外の箇所に敷くものとすることもできる。
【００２１】
敷物１０の形状（平面視形状）は、敷物１０の用途や種類に応じて適宜決定される。敷物１０の形状としては、四角形や三角形などの多角形や、円形や、楕円形など、単純な形状だけでなく、キャラクターを縁取った形状など、複雑な形状とすることもできる。本実施態様の敷物１０は、平面視正方形となっている。また、敷物１０の寸法も、敷物１０の用途や種類に応じて適宜決定される。例えば、本実施態様の敷物１０のように、敷物１０を藺草ラグとする場合には、その寸法は、通常、１畳から６畳程度、好ましくは、２畳から４畳半程度とされる。
【００２２】
以下、本実施態様の敷物１０を構成する各部について詳しく説明する。
【００２３】
［基布］
基布１１は、敷物１０の概形を為すものとなっている。基布１１の上面には、模様や絵などを表してもよい。基布１１の材質は、敷物１０の用途や種類などに応じて適宜決定される。例えば、敷物１０を藺草ラグや茣蓙とする場合には、基布１１は、藺草を織製した布帛とされ、敷物１０を絨毯とする場合には、基布１１は、各種天然繊維や合成繊維を織製又は編製した布帛とされる。敷物１０のクッション性や保温性を高める場合には、基布１１の下面に、目的に応じた裏材を設けることもできる。本実施態様の敷物１０は、上述したように、藺草ラグであるため、基布１１は、藺草を織製した布帛となっており、通気性や防虫性を考慮して、基布１１に裏材は設けていない。基布１１の厚さは、特に限定されないが、通常、１〜１０ｍｍ程度とされる。
【００２４】
［滑り止め用粘着シート］
滑り止め用粘着シート１２は、敷物１０に滑りにくさを付与するためのものとなっている。滑り止め用粘着シート１２は、図２に示すように、基布１１の下面における全周縁に沿った箇所に予め取り付けられる。これにより、その全周縁が外側に引っ張られた状態で敷物１０を敷くことができ、敷物１０を折り畳まれた状態から広げて床に敷いた場合であっても、折り皺を目立たないようにすることが可能になる。滑り止め用粘着シート１２は、図４（ａ）に示すように、基布１１の全周縁に沿って連続的に設けてもよいし、図４（ｂ），（ｃ）に示すように、基布１１の全周縁に沿って非連続的に設けてもよい。本実施態様の敷物１０において、滑り止め用粘着シート１２は、図２に示すように、正方形状の基布１１の全周縁に沿って連続的に設けている。
【００２５】
滑り止め用粘着シート１２は、１Ｎ以上の滑り耐力（滑りにくさ）と３０Ｎ以下の剥離耐力（剥がしやすさ）とを発現できるものであれば、その材質や層構成などは、特に限定されない。本実施態様の敷物１０において、滑り止め用粘着シート１２は、図３に示すように、その下面が粘着面αとなる粘着層１２ａと、粘着層１２ａの上側に配されたクッション層１２ｂとで構成している。クッション層１２ｂは、粘着層１２ａの粘着面αが床面に均一に粘着するように、粘着面αに加わる圧力を分散させる機能を有している。
【００２６】
粘着層１２ａは、その粘着面αの滑り耐力及び剥離耐力が上述した範囲のものであれば、その素材を限定されず、各種素材を用いることができる。例えば、ポリウレタン系シート（ポリウレタン系粘着シート）など、その表面に適度な粘着性を有する樹脂シートは、粘着層１２ａとして好適に使用することができる。また、素材自体は、適度な粘着性を有さなくても、その表面に適度な粘着性を発現させる処理や加工を施したことにより、適度な粘着性が発現したものであれば、粘着層１２ａとして用いることができる。粘着層１２ａの厚さは、特に限定されないが、通常、１０〜５００μｍ程度である。
【００２７】
クッション層１２ｂは、上記機能（粘着面αに加わる圧力を分散させる機能）を発現できるものであれば、その素材を限定されず、各種素材を用いることができる。例えば、発泡ポリウレタンなどの発泡樹脂からなるシートや、ポリエステルなどからなる樹脂シートは、クッション層１２ｂとして好適に使用することができる。既に述べた通り、クッション層１２ｂの厚さは、特に限定されないが、薄すぎると、上記機能が発現しにくくなる一方、厚くしすぎると、敷物を敷いた際の見た目が悪くなるおそれがある。このため、クッション層１２ｂの厚さは、１〜１５ｍｍとすると好ましい。
【００２８】
滑り止め用粘着シート１２の幅Ｗ（図２）は、基布１２（敷物１０）の寸法などを考慮して適宜決定される。しかし、滑り止め用粘着シート１２の幅Ｗが狭すぎると、必然的に、粘着面αの面積が狭くなり、滑り止め防止効果が奏されにくくなるおそれがある。このため、滑り止め用粘着シート１２の幅Ｗは、通常、２ｃｍ以上とされる。滑り止め用粘着シート１２の幅Ｗは、５ｃｍ以上であると好ましく、８ｃｍ以上であるとより好ましく、１０ｃｍ以上であるとさらに好ましい。
【００２９】
一方、滑り止め防止用粘着シート１２の幅Ｗを広くしすぎると、滑り止め用粘着シート１２が厚目で基布１１が薄く柔らかいものである場合などに、敷物１０の上面中央部に、滑り止め防止用粘着シート１２の厚みに起因する段差が形成されるおそれがある。また、滑り止め用粘着シート１２が厚目の場合に敷物１０を折り畳みにくくなるおそれもある。このため、滑り止め防止用粘着シート１２の幅Ｗは、通常、３０ｃｍ以下とされる。滑り止め防止用粘着シート１２の幅Ｗは、２５ｃｍ以下であると好ましく、２０ｃｍ以下であるとより好ましく、１５ｃｍ以下であるとさらに好ましい。本実施態様の敷物１０のように、基布１１の周縁に縁取り部材１３を取り付ける場合には、滑り止め用粘着シート１２の幅Ｗは、縁取り部材１３の幅と同程度とすると好ましい。
【００３０】
基布１１に対する滑り止め用粘着シート１２の取付方法は、既に述べた通り、縫着、接着又は溶着などの各種方法を採用することができる。本実施態様の敷物１０においては、滑り止め用粘着シート１２の外縁側の外側縫着線Ｌ１（図２）と内縁側の内側縫着線Ｌ２（図２）とに沿って、滑り止め用粘着シート１２を基布１１に対して縫着するようにしている。このとき、外側縫着線Ｌ１と内側縫着線Ｌ２とでは、図１及び図３に示すように、後述する縁取り部材１３も縫着している。具体的には、図３に示すように、縁取り部材１３の外側端部を滑り止め用粘着シート１２及び基布１１に縫着（外側縫着線Ｌ１）した後、縁取り部材１３の外側端部近傍を折り返して基布１１の端部に掛け回した後、縁取り部材１３の内側端部を折り返して滑り止め用粘着シート１２及び基布１１に縫着（内側縫着線Ｌ２）している。これにより、敷物１０の上面側から滑り止め用粘着シート１２の縫着部（外側縫着線Ｌ１及び内側縫着線Ｌ２）が目立たないようにすることが可能になる。特に外側縫着線Ｌ１の縫い目は、縁取り部材１３で覆われた状態となるため、敷物１０の上面側にも下面側にも表れないようになっている。加えて、基布１１に対する縁取り部材の縫着１３を、基布１１に対する滑り止め用粘着シート１２の縫着と同時に行うことが可能になり、製造工数を減らすことも可能になる。
【００３１】
［縁取り部材］
縁取り部材１３は、図１に示すように、基布１１の周縁に沿って取り付けられる。本実施態様の敷物１０において、縁取り部材１３は、敷物１０のデザイン性を向上させる機能だけでなく、基布１１の端部を補強して当該端部がほつれることを防止する機能をも有している。このため、縁取り部材１３は、図３に示すように、基布１１の端部を外側から包み込むように取り付けられている。縁取り部材１３の素材や模様は、敷物１０の用途や種類などに応じて適宜決定される。本実施態様の敷物１０は、藺草ラグであるため、図２に示すように、「畳べり」に使用される織物を縁取り部材１３として取り付けている。
【００３２】
［実験］
本発明に係る敷物の特性を調べるために、それに使用した滑り止め用粘着シートの滑り耐力及び剥離耐力を測定する実験を行った。滑り耐力及び剥離耐力の測定方法は、上述したものと同じ方法を採用した。滑り耐力及び剥離耐力を測定する試料は、実施例１，２の２通りの滑り止め用粘着シートに加えて、比較例１〜５の５通りを用意した。実施例１のクッション層の厚さは、０．１ｍｍとなっており、実施例２のクッション層の厚さは、１０ｍｍとなっている。実施例１，２及び比較例１〜５の滑り止め用粘着シートの詳細を、下記表１に示す。
【００３３】
【表１】
2015226670.tif 000003
【００３４】
実施例１，２及び比較例１〜５の試料の滑り耐力及び剥離耐力の測定結果を、下記表２に示す。
【００３５】
【表２】
2015226670.tif 000004
【００３６】
上記表２を見ると、比較例１〜４の試料はいずれも、滑り耐力が高々０．７０Ｎと小さく、その滑り止め効果は、限定的であることが分かった。これに対し、比較例５の試料は、滑り耐力が４０Ｎ以上と非常に大きく、滑り止め効果に優れるものの、剥離耐力が１７１．１５Ｎと非常に大きくなっており、一旦、床に粘着させると非常に剥がしにくいものであることが分かった。すなわち、比較例１〜５の試料はいずれも、滑り止め防止効果と、剥がしやすさとが両立しないものであることが分かった。
【００３７】
この点、実施例１，２の試料はいずれも、滑り耐力が１Ｎ以上と大きく、滑り止め効果に優れていることに加えて、その剥離耐力が３０Ｎ以下となっており、一旦、床に粘着させた後であっても、剥がしやすいものであることが分かった。特に、実施例２の試料の滑り耐力は、２３．１２Ｎと高くなっており、非常に優れた滑り止め効果が奏される。これは、実施例２の試料においては、実施例１の試料よりも、クッション層を厚く確保したためと考えられる。また、実施例１の試料の剥離耐力は、２．２７Ｎと小さくなっており、より剥がしやすいものであることが分かる。以上の測定結果から、実施例１，２の試料を滑り止め用粘着シートとして使用すれば、敷物に、滑りにくさと、剥がしやすさとの両方の性質を付与できることが分かった。
【符号の説明】
【００３８】
１０    敷物
１１    基布
１２    滑り止め用粘着シート
１２ａ  粘着層
１２ｂ  クッション層
１３    縁取り部材
２０    木質ボード
３０    床板
４０    ワイヤ
Ｆ    引張力
α    粘着面
【図１】
2015226670.tif 000005
【図２】
2015226670.tif 000006
【図３】
2015226670.tif 000007
【図４】
2015226670.tif 000008
【図５】
2015226670.tif 000009
【図６】
2015226670.tif 000010